(57)【特許請求の範囲】
【請求項１】
駐車場への車両の入庫日時及び当該車両の駐車場からの出庫日時に関する情報を取得すると共に、出庫車両に対し駐車時間に応じた駐車料金を表示して利用者から駐車料金を徴収するように各駐車場毎に設置された精算機と、複数の駐車場に設置された各精算機との間で情報交換可能に接続されたサーバーとを備えた駐車料金精算システムにおける駐車料金精算方法であって、
各精算機内において、精算機にて取得した入庫日時及び出庫日時と共に、当該精算機が設置された駐車場を表す情報を前記サーバーに送信し、
前記サーバー内において、各精算機から送信された情報を受けて、各駐車場毎に予め設定された料金表に基づいて駐車料金を計算し、その結果を該当する精算機に送信し、
各精算機内において、前記サーバーから駐車料金の計算結果を受けて該当する精算機にて駐車料金を表示させると共に、駐車料金を利用者から徴収させ、
前記サーバー内において、各駐車場毎の料金表を各駐車場に対応する精算機に必要時又は予め決められたタイミング毎に送信し、
各精算機内において、前記サーバーから送信される料金表によって精算機内に保持されている料金表を書き換え、入庫日時及び出庫日時と共に、書き換えられた料金表に基づいて駐車料金を予備的に計算し、駐車車両の出庫時にも関わらず、前記サーバーから駐車料金を受信できないとき、前記予備的に計算された駐車料金を精算機に表示させることを特徴とする駐車料金精算方法。
【請求項２】
駐車場への車両の入庫日時及び当該車両の駐車場からの出庫日時に関する情報を取得すると共に、出庫車両に対し駐車時間に応じた駐車料金を表示して利用者から駐車料金を徴収するように各駐車場毎に設置された精算機と、複数の駐車場に設置された各精算機との間で情報交換可能に接続されたサーバーとを備えた駐車料金精算システムであって、
各精算機内にあり、精算機にて取得した入庫日時及び出庫日時と共に、当該精算機が設置された駐車場を表す情報を前記サーバーに送信する送信手段と、
前記サーバー内にあり、各送信手段にて送信された情報を受けて、各駐車場毎に予め設定された料金表に基づいて駐車料金を計算し、その結果を該当する精算機に送信する駐車料金算出手段と、
各精算機内にあり、前記駐車料金算出手段から駐車料金の計算結果を受けて前記精算機にて駐車料金を表示させると共に、駐車料金を利用者から徴収するように精算機を機能させる受信手段と、
前記サーバー内にあり、各駐車場毎の料金表を各駐車場に対応する精算機に必要時又は予め決められたタイミング毎に送信する料金表送信手段と、
各精算機内にあり、前記料金表送信手段から送信される料金表によって精算機内に保持されている料金表を書き換え、入庫日時及び出庫日時と共に、書き換えられた料金表に基づいて駐車料金を予備的に計算し、駐車車両の出庫時にも関わらず、前記駐車料金算出手段から駐車料金を受信できないとき、前記予備的に計算された駐車料金を精算機に表示させる予備的料金算出手段と、
を備えることを特徴とする駐車料金精算システム。
【発明の詳細な説明】
【技術分野】
【０００１】
本発明は、駐車場への車両の入庫日時及び当該車両の駐車場からの出庫日時に基づいて駐車時間を求め、出庫車両に対し駐車時間に応じた駐車料金を表示して利用者から駐車料金を徴収する駐車料金精算方法及びシステムに関する。
【背景技術】
【０００２】
下記特許文献１に開示されたような時間貸の駐車場の駐車料金の精算は、精算機により行われている。即ち、車両入庫時に受け取った駐車券を、出庫時に精算機の所定個所に挿入することにより、駐車券に記録されている入庫日時と出庫日時とから駐車料金を精算機内のコンピュータによって計算し、表示部に表示し、料金を徴収するようにしている。
【先行技術文献】
【特許文献】
【０００３】
【特許文献１】特開２００７−２１９９０６号公報
【発明の概要】
【発明が解決しようとする課題】
【０００４】
しかし、特許文献１の場合、各精算機毎に駐車料金の計算が行われており、料金改定を行う場合は、各精算機毎に料金表を変更する必要があり、駐車場が離れた場所に複数ある場合、各駐車場が離れているため変更作業に手間がかかっていた。
本発明は、このような問題に鑑み、複数の駐車場の駐車料金の計算をまとめて一括で行うことにより料金改定を容易にできるようにすることを課題とする。
【課題を解決するための手段】
【０００５】
本発明の第１発明は、駐車場への車両の入庫日時及び当該車両の駐車場からの出庫日時に関する情報を取得すると共に、出庫車両に対し駐車時間に応じた駐車料金を表示して利用者から駐車料金を徴収するように各駐車場毎に設置された精算機と、複数の駐車場に設置された各精算機との間で情報交換可能に接続されたサーバーとを備えた駐車料金精算システムにおける駐車料金精算方法であって、
各精算機内において、精算機にて取得した入庫日時及び出庫日時と共に、当該精算機が設置された駐車場を表す情報を前記サーバーに送信し、
前記サーバー内において、各精算機から送信された情報を受けて、各駐車場毎に予め設定された料金表に基づいて駐車料金を計算し、その結果を該当する精算機に送信し、
各精算機内において、前記サーバーから駐車料金の計算結果を受けて該当する精算機にて駐車料金を表示させると共に、駐車料金を利用者から徴収させることを特徴とする駐車料金精算方法である。
第１発明によれば、駐車料金の算出を各駐車場に設置の精算機で個々に行わず、サーバーで一括して行うため、料金改定の際はサーバー内の料金表を変更することにより、各駐車場の料金を一括して改定することができ、各駐車場が離れた場所にあっても簡単に料金改定を行うことができる。
【０００６】
本発明の第２発明は、上記第１発明の駐車料金精算方法において、インターネットに接続され、インターネットを通じて入力される入庫日時、出庫日時、及び希望駐車場の各情報に基づいて、前記サーバーにて駐車料金を計算させ、その結果をインターネットを通じて表示して、事前に駐車料金をシミュレート可能とすることを特徴とする駐車料金精算方法である。
第２発明によれば、インターネットを通じて希望の駐車場の駐車料金を事前に確認することができる。
【０００７】
本発明の第３発明は、上記第１発明又は第２発明の駐車料金精算方法において、前記サーバー内において、各駐車場毎の料金表を各駐車場に対応する精算機に必要時又は予め決められたタイミング毎に送信し、
各精算機内において、前記サーバーから送信される料金表によって精算機内に保持されている料金表を書き換え、入庫日時及び出庫日時と共に、書き換えられた料金表に基づいて駐車料金を予備的に計算し、駐車車両の出庫時にも関わらず、前記サーバーから駐車料金を受信できないとき、前記予備的に計算された駐車料金を精算機に表示させることを特徴とする駐車料金精算方法である。
第３発明によれば、通信障害などのため、サーバーによって算出された駐車料金が精算機に送信されない場合でも、精算機によって駐車料金は計算され、正常に駐車料金の精算は行われる。しかも、サーバーにて一括で行われた料金改定の結果は、精算機内にも反映されているので、料金改定を一括で行う効果も損なわれない。
【０００８】
<図１参照>
本発明の第４発明は、駐車場への車両の入庫日時及び当該車両の駐車場からの出庫日時に関する情報を取得すると共に、出庫車両に対し駐車時間に応じた駐車料金を表示して利用者から駐車料金を徴収するように各駐車場毎に設置された精算機と、複数の駐車場に設置された各精算機との間で情報交換可能に接続されたサーバーとを備えた駐車料金精算システムであって、
各精算機内にあり、精算機にて取得した入庫日時及び出庫日時と共に、当該精算機が設置された駐車場を表す情報を前記サーバーに送信する送信手段と、
前記サーバー内にあり、各送信手段にて送信された情報を受けて、各駐車場毎に予め設定された料金表に基づいて駐車料金を計算し、その結果を該当する精算機に送信する駐車料金算出手段と、
各精算機内にあり、前記駐車料金算出手段から駐車料金の計算結果を受けて前記精算機にて駐車料金を表示させると共に、駐車料金を利用者から徴収するように精算機を機能させる受信手段と、
を備える駐車料金精算システムである。
第４発明によれば、駐車料金の算出を各駐車場に設置の精算機で個々に行わず、サーバーで一括して行うため、料金改定の際はサーバー内の駐車料金算出手段の料金表を変更することにより、各駐車場の料金を一括して改定することができ、各駐車場が離れた場所にあっても簡単に料金改定を行うことができる。
【０００９】
<図２参照>
本発明の第５発明は、上記第４発明の駐車料金精算システムにおいて、インターネットに接続され、インターネットを通じて入力される入庫日時、出庫日時、及び希望駐車場の各情報に基づいて、前記駐車料金算出手段によって駐車料金を計算させ、その結果をインターネットを通じて表示して、事前に駐車料金をシミュレート可能とするシミュレート手段を備えることを特徴とする駐車料金精算システムである。
第５発明によれば、インターネットを通じて希望の駐車場の駐車料金を事前に確認することができる。
【００１０】
<図３参照>
本発明の第６発明は、上記第４発明又は第５発明の駐車料金精算システムにおいて、前記サーバー内にあり、各駐車場毎の料金表を各駐車場に対応する精算機に必要時又は予め決められたタイミング毎に送信する料金表送信手段と、
各精算機内にあり、前記料金表送信手段から送信される料金表によって精算機内に保持されている料金表を書き換え、入庫日時及び出庫日時と共に、書き換えられた料金表に基づいて駐車料金を予備的に計算し、駐車車両の出庫時にも関わらず、前記駐車料金算出手段から駐車料金を受信できないとき、前記予備的に計算された駐車料金を精算機に表示させる予備的料金算出手段と、
を備えることを特徴とする駐車料金精算システムである。
第６発明によれば、通信障害などのため、サーバーによって算出された駐車料金が精算機に送信されない場合でも、予備的料金算出手段によって駐車料金は計算され、正常に駐車料金の精算は行われる。しかも、サーバーにて一括で行われた料金改定の結果は、予備的料金算出手段にも反映されているので、料金改定を一括で行う効果も損なわれない。
【００１１】
本発明の第７発明は、上記第４発明乃至第６発明のいずれかの駐車料金精算システムにおいて、各精算機内にあり、異常警報、不正出庫、長時間駐車などのイベント発生を検出し、イベントが発生した旨の情報を前記サーバーに送信すると共に、イベント発生前後の駐車場内の撮影映像を前記サーバーに送信するイベント検出手段と、前記サーバー内にあり、イベント検出手段により送信されたイベント発生情報、及び撮影映像を、発生時刻と共に記録するイベント記録手段とを備えることを特徴とする駐車料金精算システムである。
第７発明によれば、イベントの発生時期と発生時の駐車場内の映像を後で確認できるため、事故や事件の解決に有用な情報を得ることができる。
【００１２】
本発明の第８発明は、上記第４発明乃至第６発明のいずれかの駐車料金精算システムにおいて、各精算機内にあり、利用毎の入庫日時及び出庫日時を前記サーバーに送信する利用データ送信手段と、前記サーバー内にあり、前記利用データ送信手段により送信された利用毎の入庫日時及び出庫日時を記録し、利用情報としてデータベース化するデータベース化手段とを備えることを特徴とする駐車料金精算システムである。
第８発明によれば、データベース化された利用状況を解析することにより、時間帯毎の料金設定を適切に行い、利用の平準化と収益性の向上を図ることができる。
【００１３】
本発明の第９発明は、上記第８発明の駐車料金精算システムにおいて、各精算機内にあり、クレジットカードによる決済情報を前記サーバーに送信するクレジット決済情報送信手段と、前記サーバー内にあり、前記データベース化手段においてデータベース化されている利用情報には入庫日時及び出庫日時と共に料金の精算情報を含み、この利用情報を、クレジットカードによる決済情報と照合し、前記利用情報の内、現金、プリペイドカード、クレジットカード等により精算済の利用情報に対して重複するクレジットカードによる決済をキャンセルさせるキャンセル手段とを備えることを特徴とする駐車料金精算システムである。
第９発明によれば、精算機とサーバーとの間で行われる通信の不安定により、駐車料金の二重請求が行われることを防止できる。
【００１４】
本発明の第１０発明は、上記第４発明乃至第６発明のいずれかの駐車料金精算システムにおいて、各精算機内にあり、精算機において集金操作が行われると、集金される駐車料金の集計額を前記サーバーに送信する集計額送信手段と、前記サーバー内にあり、集計額送信手段により送信された集計額を記録する集計額記録手段とを備えることを特徴とする駐車料金精算システムである。
第１０発明によれば、集金額と一致する集計額が記録されているため、集金額が正しいかを確認する必要はなくなり、確認作業が合理化される。
【００１５】
本発明の第１１発明は、上記第４発明乃至第６発明のいずれかの駐車料金精算システムにおいて、前記サーバー内にあり、必要時又は定期的に各精算機にそれぞれ満車台数データを送信する満車台数送信手段と、各精算機内にあり、満車台数送信手段に送信された満車台数に基づいて駐車場が満車か否かを判断し、その判断により満車又は空車の表示を行う満空表示手段とを備えることを特徴とする駐車料金精算システムである。
第１１発明によれば、各駐車場の事情に応じた満車台数の変更を、各精算機まで行くことなく集中的に容易に行うことができる。
【００１６】
本発明の第１２発明は、上記第４発明乃至第６発明のいずれかの駐車料金精算システムにおいて、前記サーバー内にあり、ポイントカードのポイントを記録するポイント記録手段と、各精算機内にあり、利用者の要求に応じて前記ポイント記録手段から記録されたポイントの送信を受け、そのポイントにより駐車料金を精算するポイント精算手段とを備えることを特徴とする駐車料金精算システムである。
第１２発明によれば、駐車料金の精算にポイントカードのポイントを利用できるため、ポイントカードの魅力を高めることができる。
【図面の簡単な説明】
【００１７】
【図１】本発明の第４発明のクレーム対応図である。
【図２】本発明の第５発明のクレーム対応図である。
【図３】本発明の第６発明のクレーム対応図である。
【図４】本発明の一実施形態のブロック線図である。
【図５】図４の実施形態の精算機における処理内容を示すフローチャートである。
【図６】図４の実施形態のサーバーにおける処理内容を示すフローチャートである。
【図７】駐車場の利用方法の説明図である。
【発明を実施するための形態】
【００１８】
以下、本発明の実施形態を図面を参照しながら説明する。
図４には、本発明の駐車料金精算システムを複数のゲート式駐車場に適用した場合のブロック線図を示している。各駐車場Ａ、Ｂには、駐車場内の映像を撮影するカメラ１１が設けられ、また電話機１２が設置され、必要時に利用者若しくは駐車場管理人と後述の駐車場管理センターとの間で会話ができるようになっている。更に、各駐車場Ａ、Ｂには、精算機１３が設置され、精算機１３には従来公知の駐車料金精算機能が備わっており、主には、駐車券の情報を読み取って駐車料金を計算し、駐車料金を表示し、駐車料金を徴収し、料金が徴収されたらゲートを開放する等の機能を有する。
カメラ１１、電話機１２、精算機１３は、ルーター１４、２１及びスイッチハブ２４を介して駐車場センターの監視端末２５に接続され、更にルーター２３、３１を介してサーバー３２に接続されている。また、ルーター２３、３１を介して入力端末２６もサーバー３２に接続されている。更に、サーバー３２は、インターネットにも接続されている。
【００１９】
監視端末２５では、スイッチハブ２４によって接続された駐車場のカメラ映像を監視したり、利用者や管理人との間で通話したり、更には非常時においてはゲートの開閉操作を行う。また、入力端末２６では、サーバー３２を利用して日報入力やデータ分析を行う。
サーバー３２には、各駐車場から送信された各種情報を受け取り一時保存する機能、各駐車場の満空データを管理し、インターネットを通じて、或いは駐車場利用者からの要求を受けると、満空データを提供できるようにする機能、及び各駐車場の料金表を保存し、料金表及び入庫日時、出庫日時の情報に基づき駐車料金を計算する機能を備える。
【００２０】
図７は、一般的なゲート式駐車料金精算システムを適用した駐車場の利用法を示している。まず、駐車場への入場時に駐車場入口を遮断しているゲート１５の前で車両を停止する（図７Ａ）。発券機１７は停止車両による車両感知信号を受けて駐車券を発券する。利用者が駐車券を発券機１７から抜き取ると、それを検知してゲート１５が開放される（図７Ｂ）。利用者は駐車券を所持して希望の駐車枠に車両を駐車させる（図７Ｃ）。次に車両を駐車場から出す際は、駐車場出口の出庫ゲート１６の前で車両を停止し、駐車場入場時に受け取った駐車券を精算機１３に挿入する。精算機１３の表示部には駐車時間に応じた駐車料金が表示されるので、利用者はその料金と同額の金銭（現金、プリペイドカード、クレジットカード等）を精算機１３の料金投入口に投入する（図７Ｄ）。表示された料金と投入された金銭が同額であれば、駐車場出口の出庫ゲート１６が開放され、車両を駐車場から出すことができる（図７Ｅ）。
【００２１】
図５及び図６のフローチャートに基づいて、本発明の一実施形態の機能を説明する。図５は、各駐車場の精算機内のコンピュータで行われる処理を示し、図６は、サーバー内で行われる処理を示す。
図５Ａにおいて、ステップＳ１１では、精算機１３に駐車券が挿入され、精算機１３で駐車券が検知されたか否かが判断される。駐車券が検知され、ステップＳ１１が肯定判断されると、ステップＳ１２において、駐車券に記録された入庫日時、駐車場ナンバーをルーター１４等を介してサーバー３２に送信すると共に、現日時を出庫日時として同様に送信する。ステップＳ１３では、ステップＳ１２における送信が正常に行われたか否かの判断が行われ、送信が正常に行われず、ステップＳ１３が否定判断された場合は、ステップＳ１４において、精算機１３内で予備的に入庫日時、出庫日時、駐車料金表に基づいて駐車料金を算出する。ここで、予備的に駐車料金を算出するとは、後述するように駐車料金の算出は本来はサーバー３２内で行われるが、精算機１３とサーバー３２との間で通信が正常に行えなくて駐車料金の算出ができない場合に備えて精算機１３内で駐車料金を算出している。一方、上記通信が正常に行われた場合は、ステップＳ１３が肯定判断され、ステップＳ１５において、サーバー３２において計算され、精算機１３に送信された駐車料金情報を受信し、ステップＳ１６において、精算機１３の料金表示部に駐車料金を表示する。次のステップＳ１７では、上記駐車料金の徴収が完了したか否かが判断され、駐車料金の徴収が完了した場合はステップＳ１７が肯定判断され、ステップＳ１８において出庫ゲート１６が開放される。
【００２２】
同時に図６Ａに示すように、サーバー３２側では、ステップＳ３１において、精算機１３から送信された入庫日時、出庫日時、駐車場ナンバーを受信し、ステップＳ３２において、それら入庫日時、出庫日時、駐車場ナンバーに基づき、予めサーバー３２内に格納されている料金表を読み取り、ステップＳ３３において、その料金表に入庫日時、出庫日時を当てはめて駐車料金を算出する。次のステップＳ３４では、ステップＳ３１で受信した駐車場ナンバーの精算機１３に駐車料金情報を送信する。
【００２３】
このように処理することにより、駐車料金の算出を各駐車場に設置の精算機１３で個々に行わず、サーバー３２で一括して行うことができ、料金改定の際はサーバー３２内に格納された料金表を変更することにより、各駐車場の料金を一括して改定することができる。そのため、各駐車場が離れた場所にあっても簡単に料金改定を行うことができる。
図５Ａ及び図６Ａにおいて、ステップＳ１２の処理は本発明の送信手段に相当し、ステップＳ３１〜ステップＳ３４の処理は本発明の駐車料金算出手段に相当し、ステップＳ１５〜ステップＳ１８の処理は本発明の受信手段に相当する。
【００２４】
図６Ｂの処理は、サーバーにおける図６Ａの処理中、予め決められた所定時間が経過する毎に行われる処理で、前回の処理から所定時間が経過し、ステップＳ３５が肯定判断されると、ステップＳ３６において、サーバー３２に格納されている各駐車場の精算機１３に対応する料金表を送信する。精算機１３側では、図５ＢのステップＳ１９において、ステップＳ３６において送信された料金表を受信したか否かが判断され、正常に受信した場合は、ステップＳ１９は肯定判断され、ステップＳ２０において各精算機１３内に格納されている料金表が書き換えられる。
【００２５】
このような処理により、通信障害などのため、サーバー３２によって算出された駐車料金が精算機１３に送信されないことが生じても、図５ＡのステップＳ１４によって駐車料金は計算され、ステップＳ１５以降の処理により正常に駐車料金の精算は行われる。しかも、サーバー３２にて一括で行われた料金改定の結果は、図６Ｂ及び図５Ｂの処理によって、定期的に各精算機１３内に格納されている料金表が書き換えられ、図５ＡのステップＳ１４の駐車料金の計算にも反映されているので、料金改定を一括で行う効果も損なわれない。
図６ＢのステップＳ３５及びステップＳ３６の処理は、本発明の料金表送信手段に相当し、図５ＢのステップＳ１９及びステップＳ２０、並びに図５ＡのステップＳ１３及びステップＳ１４の処理は、本発明の予備的料金算出手段に相当する。
【００２６】
図６Ｃの処理は、サーバーにおける図６Ａの処理中、駐車場利用希望者からインターネット経由で駐車料金のシミュレート要求があった際に行われる処理で、かかる要求があると、ステップＳ３７が肯定判断され、ステップＳ３８において入庫予定日時、出庫予定日時及び希望駐車場ナンバーの入力を受ける。ステップＳ３９では、受けた入力に基づき該当する料金表を読み取り、ステップＳ４０では、読み取った料金表と入力された入庫日時、出庫日時から駐車料金を計算する。そして、ステップＳ４１において、求められた駐車料金をインターネットを通じて見られるように表示する。なお、ステップＳ３９及びステップＳ４０の処理は、図６ＡのステップＳ３２及びステップＳ３３と実質同一であるので、両処理を合体してプログラムを簡素化することもできる。
このような処理により、インターネットを通じて希望の駐車場の駐車料金を事前に確認することができる。
図６ＣのステップＳ３７〜ステップＳ４１の処理は、本発明のシミュレート手段に相当する。
【００２７】
上記実施形態ではゲート式の駐車料金精算システムについて説明したが、本発明はロック板式の駐車料金精算システムに適用しても良い。このロック板式の駐車料金精算システムとは、有料駐車場内の各駐車スペースに、駐車車両の前後車軸間の車両フロアに向けて起き上がるロック板を設け、このロック板を車両が駐車スペースに駐車してから精算機での駐車料金の精算が完了するまで起き上げ制御するもので、ゲート式の駐車料金精算システムにおけるゲートの代わりにロック板が設けられている。他にも各種の駐車料金精算システムに本発明は適用できる。
その他、本発明は、その発明思想の範囲内で各種形態で実施可能である。
【符号の説明】
【００２８】
１３    精算機
２５    監視端末
３２    サーバー
【図１】
0005627989.tif 000002
【図２】
0005627989.tif 000003
【図３】
0005627989.tif 000004
【図４】
0005627989.tif 000005
【図５】
0005627989.tif 000006
【図６】
0005627989.tif 000007
【図７】
0005627989.tif 000008